Podtech/llm-jp-corpus-v4-ja_patent huggingface dataset:
【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
集積回路ダイであって、
半導体物質よりなる、上面を有する基板と、
前記上面上に、前記上面と平行に、所定の長さを有して延在する導電経路と、
当該ダイの上面の一部を形成するパッシベーション層と、
前記導電経路の表面上に、且つ前記パッシベーション層のエッジにオーバラップするように、形成される接着層と、
前記接着層上に形成され、前記導電経路をその全長に渡って覆うように、前記基板の前記上面と平行に、所定の長さを有して延在する金属ストラップとを含み、
前記導電経路と前記金属ストラップは、前記基板の前記上面と平行して電流を流すためのものであり、
前記パッシベーション層が前記金属ストラップの上面に重ならないように、前記金属ストラップの前記上面は、前記パッシベーション層の上面よりも上の所定の高さに配置され、
前記接着層が形成される領域が、前記金属ストラップが形成される領域を確定するようにすることを特徴とする集積回路ダイ。
【請求項２】
前記導電経路の側縁が前記金属ストラップの側縁を越えて横方向に延在しており、前記パッシベーション層が前記導電経路の前記表面の一部を覆っていることを特徴とする請求項１に記載の集積回路ダイ。
【請求項３】
前記パッシベーション層が前記金属ストラップの前記側縁の一部に接していることを特徴とする請求項１に記載の集積回路ダイ。
【請求項４】
前記金属ストラップがニッケルの層を含んでいることを特徴とする請求項１に記載の集積回路ダイ。
【請求項５】
前記接着層がチタンを含んでいることを特徴とする請求項１に記載の集積回路ダイ。
【請求項６】
前記接着層が亜鉛を含んでいることを特徴とする請求項１に記載の集積回路ダイ。
【請求項７】
前記金属ストラップが、該金属ストラップの上面を覆う表面層を含んでいることを特徴とする請求項１に記載の集積回路ダイ。
【請求項８】
前記表面層が金を含んでいることを特徴とする請求項７に記載の集積回路ダイ。
【請求項９】
前記導電経路が第２金属層に含まれ、当該ダイが更に下側に第１金属層を含んでおり、この第１金属層が少なくとも、
第２導電経路と、
前記導電経路と前記第２導電経路との間に延在して前記導電経路と前記第２導電経路との間に導電経路を形成するバイアとを含んでいることを特徴とする請求項１に記載の集積回路ダイ。
【請求項１０】
前記第２金属層が更に第３導電経路を含んでおり、
前記第１金属層が更に、
前記第２導電経路と平行な第４導電経路と、第５導電経路と、第６導電経路と、第２バイアと、第３バイアとを含み、
前記第１金属層において、
前記第２バイアが、前記第３導電経路と前記第４導電経路との間に延在して前記第３導電経路と前記第４導電経路との間に導電経路を形成するようにし、
前記第３バイアが、前記導電経路と前記第５導電経路との間に延在し、
前記第６導電経路が、前記第２導電経路及び前記第５導電経路のいずれにも導通しないようにして、前記第２導電経路と前記第５導電経路との間に配置され、
前記第１金属層の前記第２導電経路と前記第５導電経路との間のピッチが、前記第２金属層の前記導電経路と前記第３導電経路との間のピッチよりも小さいことを特徴とする請求項９に記載の集積回路ダイ。
【請求項１１】
更にパワーＭＯＳＦＥＴを含むことを特徴とする請求項１に記載の集積回路ダイ。
【請求項１２】
更に前記各金属層において、前記各導電経路が他方の導電経路のフィンガと櫛歯状に互い違いになるように配列された複数のフィンガを含んでいることを特徴とする請求項１に記載の集積回路ダイ。
【請求項１３】
更に前記表面層にボンディングされたワイヤを含んでいることを特徴とする請求項７に記載の集積回路ダイ。
【請求項１４】
前記ワイヤが金を含んでいることを特徴とする請求項１３に記載の集積回路ダイ。
【請求項１５】
前記ワイヤがアルミニウムを含んでいることを特徴とする請求項１３に記載の集積回路ダイ。
【請求項１６】
前記金属ストラップが当該ダイの前記パッシベーション層に開孔が開けられている領域にのみ配置されていることを特徴とする請求項１に記載の集積回路ダイ。
【請求項１７】
前記金属ストラップが１２μｍよりも厚いことを特徴とする請求項１に記載の集積回路ダイ。
【請求項１８】
前記金属ストラップの厚さが２０乃至３０μｍであることを特徴とする請求項１に記載の集積回路ダイ。
【請求項１９】
集積回路ダイの製造方法であって、
半導体基板内に半導体デバイスを形成する過程と、
前記基板上に絶縁層を形成する過程と、
前記絶縁層を通過するバイアを形成する過程と、
前記絶縁層上に導電経路を形成し、前記バイアを介して前記半導体デバイスとの電気的コンタクトを形成する過程と、
前記絶縁層及び前記導電経路上にパッシベーション層を形成する過程と、
前記パッシベーション層をエッチングして前記導電経路の上に縦方向溝を形成し、前記導電経路の露出面を生成する過程と、
前記露出面及び前記パッシベーション層上に金属層を被着し、前記金属層をエッチングして前記金属層が前記縦方向溝より大きいサイズになるようにすることを含み、前記露出面上に、且つ前記パッシベーション層のエッジにオーバラップするように、接着層を形成する過程と、
無電解めっきによる厚い金属層の形成を含み、前記導電経路の全長を覆って、前記パッシベーション層の上面よりも上の所定の高さに配置される上面を有するように、前記接着層上に金属ストラップを形成する過程とを含み、
前記接着層が形成される領域が、前記金属ストラップが形成される領域を確定するようにすることを特徴とする集積回路ダイの製造方法。
【請求項２０】
前記パッシベーション層のエッチング過程がウェットエッチングによって行われることを特徴とする請求項１９に記載の方法。
【請求項２１】
前記パッシベーション層のエッチング過程がドライエッチングによって行われることを特徴とする請求項１９に記載の方法。
【請求項２２】
前記パッシベーション層のエッチング過程が反応性イオンエッチングによって行われることを特徴とする請求項１９に記載の方法。
【請求項２３】
前記厚い金属層が、ニッケル層よりなることを特徴とする請求項１９に記載の方法。
【請求項２４】
前記金属ストラップの形成過程が、前記厚い金属層の上に金の層をめっきする過程を含むことを特徴とする請求項１９に記載の方法。
【請求項２５】
前記厚い金属層が、金の層よりなることを特徴とする請求項１９に記載の方法。
【請求項２６】
前記パッシベーション層のエッチング過程が、ボンディングワイヤを前記ダイへ接合するためのパッドのエッチングを含むことを特徴とする請求項１９に記載の方法。
【請求項２７】
前記接着層がチタンを含んでいることを特徴とする請求項１９に記載の方法。
【請求項２８】
前記接着層が亜鉛を含んでいることを特徴とする請求項１９に記載の方法。
【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
白色発光を生じる半導体発光素子であって、
青色又は紫外発光が可能なダイオードと、
前記ダイオード上に形成された、前記ダイオードからの発光を透過し得る透明電極と、
前記透明電極上に形成された半導体層と、
前記半導体層の上に形成された、前記ダイオード及び前記半導体層からの発光を透過し得る基板と、
前記基板上に形成された蛍光材料よりなる蛍光層とを備えている、半導体発光素子。
【請求項２】
白色発光を生じる半導体発光素子であって、
青色又は紫外発光が可能なダイオードと、
前記ダイオード上に形成された、前記ダイオードからの発光を透過し得る透明電極と、
前記透明電極上に形成された、互いに異なる組成を有する複数の半導体層と、
前記複数の半導体層の上に形成された、前記ダイオード及び前記複数の半導体層からの発光を透過し得る基板とを備えている、半導体発光素子。
【請求項３】
前記ダイオードにおける前記透明電極が形成されている面とは反対側の面の上に形成された電極をさらに備え、
前記電極は、Ａｌ、Ａｇ、Ｒｈ、Ｐｔ、又はこれらの金属のうちのいずれかを含んでなる合金若しくは多層金属膜よりなることを特徴とする請求項１又は２に記載の半導体発光素子。
【請求項４】
白色発光を生じる半導体発光素子の製造方法であって、
第１の基板上に、青色又は紫外発光が可能なダイオードを形成する工程と、
前記ダイオードにおける前記第１の基板が形成されている面とは反対側の面上に、前記ダイオードからの発光を透過し得る透明電極を形成する工程と、
前記透明電極における前記ダイオードが形成されている面とは反対側の面に、半導体層と、可視光を透過し得る第２の基板と、蛍光材料よりなる蛍光層とが順に積層された蛍光体を接着させる工程と、
前記第１の基板を前記ダイオードから分離する工程とを備える、半導体発光素子の製造方法。
【請求項５】
白色発光を生じる半導体発光素子の製造方法であって、
第１の基板上に、青色又は紫外発光が可能なダイオードを形成する工程と、
前記ダイオードにおける前記第１の基板が形成されている面とは反対側の面の上に、前記ダイオードからの発光を透過し得る透明電極を形成する工程と、
前記透明電極における前記ダイオードが形成されている面とは反対側の面に、複数の半導体層と、可視光を透過し得る第２の基板とが順に積層された蛍光体を接着させる工程と、
前記第１の基板を前記ダイオードから分離する工程とを備える、半導体発光素子の製造方法。
【請求項６】
前記第１の基板を前記ダイオードから分離する工程は、
前記第１の基板における前記ダイオードが形成されている面とは反対側の面から光を照射することにより、前記第１の基板を除去する工程を含む、請求項４又は５に記載の半導体発光素子の製造方法。
【請求項７】
青色又は紫外発光が可能な発光ダイオードによる励起によって白色発光を生じる蛍光体の製造方法であって、
単結晶よりなる第１の基板の上に半導体層を形成する工程（ａ）と、
前記半導体層における前記第１の基板が形成されている面とは反対側の面の上に可視光を透過し得る第２の基板を接着する工程（ｂ）と、
前記第１の基板を前記半導体層から分離する工程（ｃ）とを備える、蛍光体の製造方法。
【請求項８】
前記第２の基板における前記半導体層が形成されている面とは反対側の面又は前記半導体層における前記第２の基板が形成されている面とは反対側の面の上に、蛍光材料よりなる蛍光層を形成する工程（ｄ）をさらに備える、請求項７に記載の蛍光体の製造方法。
【請求項９】
前記工程（ａ）、前記工程（ｂ）、及び前記工程（ｃ）において、
前記半導体層は、複数の半導体層である、請求項７に記載の蛍光体の製造方法。
【請求項１０】
前記複数の半導体層の少なくとも一層は、前記第１の基板と格子整合が可能な組成を有している、請求項９に記載の蛍光体の製造方法。
【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
画像データの属性情報を検出する検出手段と、
前記検出手段により検出した前記属性情報に基づいて、無線通信を行うための無線通信パラメータを設定する設定手段と、
を有することを特徴とするデータ処理装置。
【請求項２】
前記設定手段により設定した無線通信パラメータに対応する前記属性情報を有する画像データを、送信可能な画像データとして抽出する抽出手段を有することを特徴とする請求項１に記載のデータ処理装置。
【請求項３】
前記設定手段により設定した無線通信パラメータに基づいて形成されたネットワークにおいて、前記抽出手段により抽出された画像データを送信する送信手段を有することを特徴とする請求項２に記載のデータ処理装置。
【請求項４】
前記設定手段により設定した無線通信パラメータに基づくビーコンを報知する報知手段を有し、
前記ビーコンの受信に応じてネットワークへの参加要求を送信した他の通信装置とネットワークを形成することを特徴とする請求項１乃至請求項３のいずれかに記載のデータ処理装置。
【請求項５】
他の通信装置が送信するビーコンを受信する受信手段と、
前記受信手段により受信したビーコンに含まれる無線通信パラメータに対応する第１の情報を属性情報として含む画像データを検索する検索手段と、
前記検索手段による検索結果に応じて、前記他の通信装置が形成するネットワークに参加することを特徴とする請求項１乃至請求項４のいずれかに記載のデータ処理装置。
【請求項６】
画像を表示する表示手段を有し、
前記検索手段は、前記表示手段に表示されている画像データの属性情報に前記第１の情報が含まれているか否かを検索することを特徴とする請求項５に記載のデータ処理装置。
【請求項７】
基地局から受信した情報を、画像データの属性情報として記憶する記憶手段を有することを特徴とする請求項１乃至請求項６のいずれかに記載のデータ処理装置。
【請求項８】
画像を表示する表示手段を有し、
前記検出手段は、前記表示手段に表示されている画像データの属性情報を検出することを特徴とする請求項１乃至請求項４のいずれかに記載のデータ処理装置。
【請求項９】
画像データの属性情報は、画像データが撮影された場所又は時間に基づく情報であることを特徴とする請求項１乃至請求項８のいずれかに記載のデータ処理装置。
【請求項１０】
画像データの属性情報を検出する検出工程と、
前記検出工程において検出された前記属性情報に基づいて、無線通信を行うための無線通信パラメータを設定する設定工程と、
を有することを特徴とするデータ処理装置の制御方法。
【請求項１１】
画像データの属性情報を検出する検出工程と、
前記検出工程において検出された前記属性情報に基づいて、無線通信を行うための無線通信パラメータを設定する設定工程と、
を有することを特徴とするコンピュータプログラム。
【手続補正２】
【補正対象書類名】明細書
【補正対象項目名】０００６
【補正方法】変更
【補正の内容】
【０００６】
本発明は、他の通信装置との通信が可能なデータ処理装置において、簡単に無線通信を行うための無線通信パラメータを設定することを目的とする。
【手続補正３】
【補正対象書類名】明細書
【補正対象項目名】０００７
【補正方法】変更
【補正の内容】
【０００７】
上記課題を解決するために、本発明は、データ処理装置であって、画像データの属性情報を検出する検出手段と、前記検出手段により検出した前記属性情報に基づいて、無線通信を行うための無線通信パラメータを設定する設定手段と、を有することを特徴とする。
【手続補正４】
【補正対象書類名】明細書
【補正対象項目名】０００８
【補正方法】変更
【補正の内容】
【０００８】
また、本発明は、データ処理装置の制御方法であって、画像データの属性情報を検出する検出工程と、前記検出工程において検出された前記属性情報に基づいて、無線通信を行うための無線通信パラメータを設定する設定工程と、を有することを特徴とする。
【手続補正５】
【補正対象書類名】明細書
【補正対象項目名】０００９
【補正方法】変更
【補正の内容】
【０００９】
さらにまた、本発明は、コンピュータプログラムであって、画像データの属性情報を検出する検出工程と、前記検出工程において検出された前記属性情報に基づいて、無線通信を行うための無線通信パラメータを設定する設定工程と、を有することを特徴とする。
【手続補正６】
【補正対象書類名】明細書
【補正対象項目名】００１０
【補正方法】変更
【補正の内容】
【００１０】
本発明によれば、画像の属性情報として記憶した情報に基づいて、簡単に無線通信を行うための無線通信パラメータを設定することができる。
【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
ウーファーと、３以上のツィーターと、を備え、
該ツィーターは、該ウーファーの前方において、該ウーファーの音響放射方向を凸とする円弧状に配置されている、
スピーカシステム。
【請求項２】
該３以上のツィーターのうち両端側に配置されたツィーターの軸を含む平面において、該３以上のツィーター全体でのクロスオーバー周波数における指向角は、該ウーファーのクロスオーバー周波数における指向角に略等しい、請求項１記載のスピーカシステム。
【請求項３】
該３以上のツィーター全体でのクロスオーバー周波数における指向角は、該ウーファーのクロスオーバー周波数における指向角の９０％〜１１０％である、請求項２記載のスピーカシステム。
【請求項４】
該ツィーターは、その配置位置が外側となるに従って、その軸も外側に傾斜する、請求項１記載のスピーカシステム。
【請求項５】
該３以上のツィーターのうち両端側に配置されたツィーターの軸がなす角は、該ウーファーのクロスオーバー周波数における指向角の７０％〜９０％である、請求項４記載のスピーカシステム。
【請求項６】
該ウーファーの周縁付近のうち対向する二の位置の間を掛け渡されたツィーターフレームをさらに備え、
該ツィーターフレームには該３以上のツィーターが取り付けられており、
該ツィーターフレームはフレア状の側壁を有することで定指向性ホーンの役割を果たす、
請求項１乃至５のうちいずれか一の項に記載のスピーカシステム。
【請求項７】
該３以上のツィーターの背後部分を覆う背後カバーをさらに備え、
該背後カバーの形状は、該ツィーターに取り付けられた状態において、該ウーファー側を鋭角とする山型である、
請求項１乃至６のうちいずれか一の項に記載のスピーカシステム。
【請求項８】
該ウーファーが取り付けられるエンクロージャをさらに備え、
該エンクロージャは後方に傾斜面を有しており、
該傾斜面を底面にして該エンクロージャが水平面上に設置されると、該ウーファーの軸が斜め上方に向うとともに、該３以上のツィーターが横方向に並ぶ、
請求項１乃至７のうちいずれか一の項に記載のスピーカシステム。
【手続補正２】
【補正対象書類名】明細書
【補正対象項目名】０００８
【補正方法】変更
【補正の内容】
【０００８】
上記課題を解決するため、本発明にかかるスピーカシステムは、ウーファーと、３以上のツィーターと、を備え、該ツィーターは、該ウーファーの前方において、該ウーファーの音響放射方向を凸とする円弧状に配置されている（請求項１）。
【手続補正書】
【提出日】平成21年9月29日(2009.9.29)
【手続補正１】
【補正対象書類名】特許請求の範囲
【補正対象項目名】全文
【補正方法】変更
【補正の内容】
【特許請求の範囲】
【請求項１】
複数のラインが所定方向に並んだパターンをヘッドにより媒体上に形成するヘッドユニットと、前記媒体を搬送する搬送ユニットと、を備える印刷装置により形成された前記ラインを、コンピューターに検出させるためのプログラムであって、
前記パターンが読み取られた結果である前記複数のラインの画像を取得するステップと、
前記画像上のあるライン上に基準点を設定するステップと、
前記基準点を中心に前記所定方向に所定幅であり、且つ、前記基準点から所定量離れた領域内から、前記ラインに対応する点を前記あるライン上の点として検出するステップと、
を前記コンピューターに実行させるためのプログラム。
【請求項２】
請求項１に記載のプログラムであって、
前記基準点は、前記あるラインの中央部に対応する、
プログラム。
【請求項３】
請求項１に記載のプログラムであって、
前記基準点は、前記あるラインの端に対応し、
前記点は、前記端とは反対側の前記あるラインの端に対応する、
プログラム。
【請求項４】
請求項１から請求項３のいずれかに記載のプログラムであって、
前記複数のラインの長さは等しく、
前記所定幅の間隔は、前記あるラインの隣の前記ラインと、前記あるラインとの間隔以下である、
プログラム。
【請求項５】
複数のラインが所定方向に並んだパターンをヘッドにより媒体上に形成するヘッドユニットと、前記媒体を搬送する搬送ユニットと、を備える印刷装置により形成された前記ラインを、コンピューターに検出させるためのプログラムであって、
前記パターンが読み取られた結果である前記複数のラインの画像を取得するステップと、
前記画像上のあるライン上に基準点を設定するステップと、
前記基準点を中心に前記所定方向に所定幅であり、且つ、前記基準点から第１所定量離れた第１領域内から、前記ラインに対応する点を前記あるライン上の第１点として検出するステップと、
前記基準点を中心に前記所定方向に所定幅であり、且つ、前記基準点から第２所定量離れた第２領域内から、前記ラインに対応する点を前記あるライン上の第２点として検出するステップと、
を前記コンピューターに実行させるためのプログラム。
【請求項６】
請求項５に記載のプログラムであって、
前記基準点は前記あるラインの中央部に対応し、
前記第１点は、前記あるラインの端に対応し、
前記第２点は、前記端とは反対側の前記あるラインの端に対応する、
プログラム。
【請求項７】
前記ヘッドユニットと、
前記搬送ユニットと、
前記搬送ユニットが前記媒体を搬送する搬送量を制御するコントローラと、
を備え、
前記コントローラは、請求項１から請求項６のいずれかに記載のプログラムにより前記ラインが検出された結果に基づいて、前記搬送量を制御する印刷装置。
【手続補正２】
【補正対象書類名】明細書
【補正対象項目名】発明の名称
【補正方法】変更
【補正の内容】
【発明の名称】プログラム、及び、印刷装置
【手続補正３】
【補正対象書類名】明細書
【補正対象項目名】０００１
【補正方法】変更
【補正の内容】
【０００１】
本発明は、ラインを検出するプログラム、及び、印刷装置に関する。
【手続補正４】
【補正対象書類名】明細書
【補正対象項目名】０００６
【補正方法】変更
【補正の内容】
【０００６】
課題を解決するための主たる発明は、複数のラインが所定方向に並んだパターンをヘッドにより媒体上に形成するヘッドユニットと、前記媒体を搬送する搬送ユニットと、を備える印刷装置により形成された前記ラインを、コンピューターに検出させるためのプログラムであって、前記パターンが読み取られた結果である前記複数のラインの画像を取得するステップと、前記画像上のあるライン上に基準点を設定するステップと、前記基準点を中心に前記所定方向に所定幅であり、且つ、前記基準点から所定量離れた領域内から、前記ラインに対応する点を前記あるライン上の点として検出するステップと、を前記コンピューターに実行させるためのプログラムである。
【手続補正書】
【提出日】平成21年11月6日(2009.11.6)
【手続補正１】
【補正対象書類名】明細書
【補正対象項目名】０００５
【補正方法】変更
【補正の内容】
【０００５】
具体的には、図１に示すように、奇数番目のピクチャＰ１，Ｐ３，・・・から、そのピクチャを構成するトップフィールドとボトムフィールドの２個のフィールド（すなわちフィールドＦ１−１，Ｆ１−２、フィールドＦ３−１，Ｆ３−２、・・・）が形成され、偶数番目のピクチャＰ２，Ｐ４，・・・から、そのピクチャを構成するトップフィールド、ボトムフィールド、およびトップフィールドまたはボトムフィールドの３個のフィールド（すなわちフィールドＦ２−１，Ｆ２−２，Ｆ２−３、フィールドＦ４−１，Ｆ４−２，Ｆ４−３、・・・）が形成される。すなわち５フィールドに１回、２フィールド前と同一のフィールドが繰り返されるようにしてレート変換が行われる。
【手続補正２】
【補正対象書類名】明細書
【補正対象項目名】００２４
【補正方法】削除
【補正の内容】
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００９０
【補正方法】削除
【補正の内容】
【手続補正９】
【補正対象書類名】明細書
【補正対象項目名】００９３
【補正方法】変更
【補正の内容】
【００９３】
【図１】３−２プルダウンを説明するための図である。
【図２】３−２プルダウン時のスロー再生を説明する図である。
【図３】３−２プルダウンにより形成されたフィールドに付されるフラグを説明する図である。
【図４】３−２プルダウン時のコマ送り再生を説明する図である。
【図５】本発明を適用した画像処理装置１の構成例を示すブロック図である。
【図６】通常再生を実行する場合の図５の画像処理装置１の動作を説明するための図である。
【図７】通常再生を実行する場合の図５の画像処理装置１の動作を説明するための他の図である。
【図８】スロー再生を実行する場合の図５の画像処理装置１の動作を説明するための図である。
【図９】スロー再生を実行する場合の図５の画像処理装置１の動作を説明するための他の図である。
【図１０】１．５倍再生を実行する場合の図５の画像処理装置１の動作を説明するための図である。
【図１１】１．５倍再生を実行する場合の図５の画像処理装置１の動作を説明するための他の図である。
【図１２】コマ送り再生を実行する場合の図５の画像処理装置１の動作を説明するための図である。
【図１３】図５の画像処理装置の再生処理を説明するフローチャートである。
【図１４】本発明を適用したコンピュータの一実施の形態の構成例を示すブロック図である。
【手続補正書】
【提出日】平成21年8月10日(2009.8.10)
【手続補正１】
【補正対象書類名】明細書
【補正対象項目名】００３３
【補正方法】変更
【補正の内容】
【００３３】
図１２で利用したデータ構造を図１３に示す。図１２でのクエリは、Ａ，Ｂ，Ｃ，Ｄ，Ｅである。もし、関係性もクエリに入れたいならば、図６（ａ）に示すような関係性のテーブルも必要である。
【手続補正２】
【補正対象書類名】明細書
【補正対象項目名】００３４
【補正方法】変更
【補正の内容】
【００３４】
また、図１２に示すように、出力画面に表示された図のいくつかを選択して送信ボタン９５を押すことにより、選択した図と類似の図を検索することもできる。図１２の例では、図の横に表示されたチェックボックスをチェックすることにより、クエリとしての図の選択を行っている。
【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
所定のサイズを有する表面基材シートの下面側に、接着剤層を介して非接触ＩＣタグ回路が設けられたベースフィルムが貼付された非接触ＩＣタグラベルであって、
前記ベースフィルムと前記接着剤層との間にクッション層が設けられ、
前記ベースフィルムの上側又は下側のいずれかの面に、被着物に対して前記非接触ＩＣタグラベルを貼付させる際に、被着物との間に真空若しくは真空に近い状態を作り出して、被着物に貼付可能とした吸着層が設けられていることを特徴とする再剥離及び再貼付可能な非接触ＩＣタグラベル。
【請求項２】
前記ベースフィルムと前記接着剤層との間に透明フィルム層が設けられていることを特徴とする請求項１記載の再剥離及び再貼付可能な非接触ＩＣタグラベル。
【請求項３】
前記吸着層の下面側に剥離シートが設けられていることを特徴とする請求項１記載の再剥離及び再貼付可能な非接触ＩＣタグラベル。
【請求項４】
前記クッション層が、最小常時体積の５０％以下まで縮小可能で、圧力を緩和する層であることを特徴とする請求項１記載の再剥離及び再貼付可能な非接触ＩＣタグラベル。
【請求項５】
前記クッション層が、反発弾性率３０％以下であることを特徴とする請求項１記載の再剥離及び再貼付可能な非接触ＩＣタグラベル。
【手続補正２】
【補正対象書類名】明細書
【補正対象項目名】０００７
【補正方法】変更
【補正の内容】
【０００７】
上記の課題を達成するために、本発明の再剥離及び再貼付可能な非接触ＩＣタグラベルは、所定のサイズを有する表面基材シートの下面側に、接着剤層を介して非接触ＩＣタグ回路が設けられたベースフィルムが貼付された非接触ＩＣタグラベルであって、前記ベースフィルムと前記接着剤層との間にクッション層が設けられ、前記ベースフィルムの上側又は下側のいずれかの面に、被着物に対して前記非接触ＩＣタグラベルを貼付させる際に、被着物との間に真空若しくは真空に近い状態を作り出して、被着物に貼付可能とした吸着層が設けられていることを特徴とする。
【手続補正３】
【補正対象書類名】明細書
【補正対象項目名】００１０
【補正方法】削除
【補正の内容】
【手続補正書】
【提出日】平成21年8月24日(2009.8.24)
【手続補正１】
【補正対象書類名】特許請求の範囲
【補正対象項目名】全文
【補正方法】変更
【補正の内容】
【特許請求の範囲】
【請求項１】
指定文字列に対して文字入力者により入力される入力文字列に対応した処理をコンピュータに実行させる文字入力処理方法において、
前記指定文字列のｎ文字目を構成する正答文字と前記正答文字とは異なる誤答文字群とからなる文字選択肢を生成ないし記憶部から読み出す第１のステップと、
前記文字選択肢を表示部に表示させる第２のステップと、
操作部からの入力情報により前記文字選択肢から選択された入力文字が前記正答文字か否かを判定する第３のステップと
を前記コンピュータに実行させることを特徴とする文字入力処理方法。
【請求項２】
請求項１記載の文字入力処理方法において、
前記コンピュータに、
前記指定文字列の１文字目から順番に、前記第１のステップ乃至前記第３のステップを繰り返して実行させ、
前記第３のステップにおいて、前記選択された入力文字が前記正答文字でないと判定した場合には、前記指定文字列の入力を誤ったと判定して誤答処理に移行する
ことを特徴とする文字入力処理方法。
【請求項３】
請求項１又は２記載の文字入力処理方法において、
前記記憶部は、入力可能な文字を複数のグループに分類して記憶し、
前記誤答文字群は、前記入力可能な文字のうち、前記正答文字が属するグループから選択された文字で構成される
ことを特徴とする文字入力処理方法。
【請求項４】
請求項３記載の文字列入力処理方法において、
前記記憶部は、前記グループに含まれる複数の文字を複数のサブグループに分類して記憶し、
前記誤答文字群は、前記正答文字が属するグループに属する文字であって、かつ、前記正答文字が属するサブグループに属さない文字で構成される
ことを特徴とする文字入力処理方法。
【請求項５】
請求項４記載の文字入力処理方法において、
前記複数のグループは、少なくとも、ひらがなのグループ又はカタカナのグループを含み、
前記ひらがなのグループ又は前記カタカナのグループのサブグループは、「あ」の母音のサブグループ、「い」の母音のサブグループ、「う」の母音のサブグループ、「え」の母音のサブグループ、「お」の母音のサブグループを含む
ことを特徴とする文字入力処理方法。
【請求項６】
クイズの解答として入力される入力文字列に対応した処理が行われる文字列入力処理方法を実行するゲーム装置において、
前記ゲーム装置の記憶部は、
入力可能な文字を複数のグループに分類し、各グループに含まれる複数の文字を複数のサブグループに分類して記憶し、
前記ゲーム装置の制御部は、
前記クイズの正解文字列のｎ文字目を構成する正答文字と、前記正答文字が属するグループに属する文字であって、かつ、前記正答文字が属するサブグループに属さない文字を含む誤答文字群とからなる文字選択肢を生成する第１のステップと、
前記文字選択肢を表示部に表示させる第２のステップと、
前記操作部からの入力情報により前記文字選択肢から選択された入力文字が前記正答文字か否かを判定する第３のステップとを実行し、
前記正解文字列の１文字目から順番に、前記第１のステップ乃至前記第３のステップを繰り返して実行し、
前記第３のステップにおいて、
前記正解文字列の全ての文字に対する前記入力文字が前記正答文字である場合には、前記正解文字列が正しく入力された判定して正答処理に移行し、
前記正解文字列のｎ文字目に対する前記入力文字が前記正答文字でないと判定された場合には、前記正解文字列が誤って入力されたと判定して誤答処理に移行する
ことを特徴とするゲーム装置。
【請求項７】
コンピュータに、指定文字列に対して文字入力者により入力される入力文字列に対応した処理が行われる文字入力処理方法を実行させるプログラムであって、
前記コンピュータに、
前記指定文字列のｎ文字目を構成する正答文字と前記正答文字とは異なる誤答文字群とからなる文字選択肢を生成ないし記憶部から読み出す第１のステップと、
前記文字選択肢を表示部に表示させる第２のステップと、
操作部からの入力情報により前記文字選択肢から選択された入力文字が前記正答文字か否かを判定する第３のステップと
を実行させるためのプログラム。
【請求項８】
請求項７記載のプログラムにおいて、
前記コンピュータに、前記指定文字列の１文字目から順番に、前記第１のステップ乃至前記第３のステップを繰り返して実行させ、
前記第３のステップにおいて、前記選択された入力文字が前記正答文字でないと判定された場合には、前記指定文字列の入力を誤ったと判定して誤答処理に移行する
ことを特徴とするプログラム。
【請求項９】
請求項７又は８記載のプログラムにおいて、
入力可能な文字を複数のグループに分類して前記記憶部に記憶しておき、
前記誤答文字群は、前記入力可能な文字のうち、前記正答文字が属するグループから選択された文字で構成される
ことを特徴とするプログラム。
【請求項１０】
請求項９記載のプログラムにおいて、
前記グループに含まれる複数の文字を複数のサブグループに分類して前記記憶部に記憶しておき、
前記誤答文字群は、前記正答文字が属するグループに属する文字であって、かつ、前記正答文字が属するサブグループに属さない文字で構成される
ことを特徴とするプログラム。
【請求項１１】
請求項１０記載のプログラムにおいて、
前記複数のグループは、少なくとも、ひらがなのグループ又はカタカナのグループを含み、
前記ひらがなのグループ又は前記カタカナのグループのサブグループは、「あ」の母音のサブグループ、「い」の母音のサブグループ、「う」の母音のサブグループ、「え」の母音のサブグループ、「お」の母音のサブグループを含む
ことを特徴とするプログラム。
【請求項１２】
請求項７乃至１１のいずれか１項に記載のプログラムを記録したコンピュータ読み取り可能な記録媒体。
【手続補正書】
【提出日】平成21年11月11日(2009.11.11)
【手続補正１】
【補正対象書類名】特許請求の範囲
【補正対象項目名】請求項２３
【補正方法】変更
【補正の内容】
【請求項２３】
映像音声データ記録再生装置に着脱可能な記録媒体であって、
その記録媒体に対する映像音声データの記録方法および再生方法の少なくとも一方に関する制御情報が記録されていることを特徴とする記録媒体。
【手続補正２】
【補正対象書類名】特許請求の範囲
【補正対象項目名】請求項２５
【補正方法】変更
【補正の内容】
【請求項２５】
請求項２３の記録媒体であって、
上記制御情報は、上記記録媒体に記録される映像音声データに確保されるべき最低画質を示す最低画質情報を含むことを特徴とする記録媒体。
【手続補正書】
【提出日】平成21年5月26日(2009.5.26)
【手続補正１】
【補正対象書類名】特許請求の範囲
【補正対象項目名】請求項１
【補正方法】変更
【補正の内容】
【請求項１】
光情報記録媒体に対する情報の記録並びに前記光情報記録媒体に記録された情報の読み出し及び消去を行う光ピックアップ装置であって、
光源と、
前記光源から出射された出射光ビームを少なくとも３本の光ビームに分岐する回折格子と、
前記各光ビームを、それぞれ集光して前記光情報記録媒体の記録面上に、それぞれ独立した集光スポットとして照射する対物レンズと、
前記各集光スポットとして照射された前記各光ビームが前記光情報記録媒体において反射された反射光を受光する光検出器とを備え、
前記回折格子は、前記光情報記録媒体のトラックの接線方向に対して平行な方向に延びる直線である第１方向の分割線により、それぞれが互いに位相が異なる周期構造を有する第１の領域、第２の領域及び第３の領域に分割されており、
前記第２の領域は、前記第１の領域と前記第３の領域との間に配置され、且つ、前記光情報記録媒体の半径方向に対して平行に延びる直線である第２方向の分割線により前記周期構造の位相が互いに異なる第１のサブブロックと第２のサブブロックとに分割されており、
前記第１のサブブロックにおける前記周期構造の位相は、前記第２のサブブロックにおける前記周期構造の位相と略１８０度異なり、
前記第１の領域における前記周期構造の位相は、前記第１のサブブロックにおける前記周期構造の位相と略９０度異なり、
前記第１の領域における前記周期構造の位相は、前記第３の領域における前記周期構造の位相と略１８０度異なることを特徴とする光ピックアップ装置。
【手続補正２】
【補正対象書類名】特許請求の範囲
【補正対象項目名】請求項１０
【補正方法】変更
【補正の内容】
【請求項１０】
光情報記録媒体に対する情報の記録並びに前記光情報記録媒体に記録された情報の読み出し及び消去を行う光ピックアップ装置であって、
光源と、
前記光源から出射された出射光ビームを少なくとも３本の光ビームに分岐する回折格子と、
前記各光ビームを、それぞれ集光して前記光情報記録媒体の記録面上に、それぞれ独立した集光スポットとして照射する対物レンズと、
前記各集光スポットとして照射された前記各光ビームが前記光情報記録媒体において反射された反射光を受光する光検出器とを備え、
前記回折格子は、前記光情報記録媒体のトラックの接線方向に対して平行な方向に延びる直線である第１方向の分割線により、それぞれが互いに位相が異なる周期構造を有する第１の領域、第２の領域及び第３の領域に分割されており、
前記第２の領域は、前記第１の領域と前記第３の領域との間に配置され、且つ、前記光情報記録媒体の半径方向に対して平行に延びる直線である第２方向の分割線により前記周期構造の位相が互いに異なる第１のサブブロックと第２のサブブロックとに分割され、且つ、前記第１のサブブロックと前記第２のサブブロックが、前記第２領域内において前記光情報記録媒体のトラックの接線方向に対して平行な方向に交互に配置されており、
前記第１のサブブロックにおける前記周期構造の位相は、前記第２のサブブロックにおける前記周期構造の位相と略１８０度異なり、
前記第１の領域における前記周期構造の位相は、前記第１のサブブロックにおける前記周期構造の位相と略９０度異なり、
前記第１の領域における前記周期構造の位相は、前記第３の領域における前記周期構造の位相と略１８０度異なることを特徴とする光ピックアップ装置。
【手続補正３】
【補正対象書類名】明細書
【補正対象項目名】００１３
【補正方法】変更
【補正の内容】
【００１３】
具体的に、本発明に係る第１の光ピックアップ装置は、光情報記録媒体に対する情報の記録並びに光情報記録媒体に記録された情報の読み出し及び消去を行う光ピックアップ装置を対象とし、光源と、光源から出射された出射光ビームを少なくとも３本の光ビームに分岐する回折格子と、各光ビームを、それぞれ集光して光情報記録媒体の記録面上に、それぞれ独立した集光スポットとして照射する対物レンズと、各集光スポットとして照射された各光ビームが光情報記録媒体において反射された反射光を受光する光検出器とを備え、回折格子は、光情報記録媒体のトラックの接線方向に対して平行な方向に延びる直線である第１方向の分割線により、それぞれが互いに位相が異なる周期構造を有する第１の領域、第２の領域及び第３の領域に分割されており、第２の領域は、第１の領域と第３の領域との間に配置され、且つ、光情報記録媒体の半径方向に対して平行に延びる直線である第２方向の分割線により周期構造の位相が互いに異なる第１のサブブロックと第２のサブブロックとに分割されており、第１のサブブロックにおける周期構造の位相は、第２のサブブロックにおける周期構造の位相と略１８０度異なり、第１の領域における周期構造の位相は、第１のサブブロックにおける周期構造の位相と略９０度異なり、第１の領域における周期構造の位相は、第３の領域における周期構造の位相と略１８０度異なることを特徴とする。
【手続補正４】
【補正対象書類名】明細書
【補正対象項目名】００２３
【補正方法】変更
【補正の内容】
【００２３】
本発明に係る第２の光ピックアップ装置は、光情報記録媒体に対する情報の記録並びに光情報記録媒体に記録された情報の読み出し及び消去を行う光ピックアップ装置を対象とし、光源と、光源から出射された出射光ビームを少なくとも３本の光ビームに分岐する回折格子と、各光ビームを、それぞれ集光して光情報記録媒体の記録面上に、それぞれ独立した集光スポットとして照射する対物レンズと、各集光スポットとして照射された各光ビームが光情報記録媒体において反射された反射光を受光する光検出器とを備え、回折格子は、光情報記録媒体のトラックの接線方向に対して平行な方向に延びる直線である第１方向の分割線により、それぞれが互いに位相が異なる周期構造を有する第１の領域、第２の領域及び第３の領域に分割されており、第２の領域は、第１の領域と第３の領域との間に配置され、且つ、光情報記録媒体の半径方向に対して平行に延びる直線である第２方向の分割線により周期構造の位相が互いに異なる第１のサブブロックと第２のサブブロックとに分割され、且つ、第１のサブブロックと第２のサブブロックとが、第２領域内において光情報記録媒体のトラックの接線方向に対して平行な方向に交互に配置されており、第１のサブブロックにおける周期構造の位相は、第２のサブブロックにおける周期構造の位相と略１８０度異なり、第１の領域における周期構造の位相は、第１のサブブロックにおける周期構造の位相と略９０度異なり、第１の領域における周期構造の位相は、第３の領域における周期構造の位相と略１８０度異なることを特徴とする。
【手続補正書】
【提出日】平成21年7月24日(2009.7.24)
【手続補正１】
【補正対象書類名】特許請求の範囲
【補正対象項目名】全文
【補正方法】変更
【補正の内容】
【特許請求の範囲】
【請求項１】
動画像データを利用して画像を表示するための画像処理装置であって、
前記動画像データが表す画像の解像度を表示用の解像度に変換する処理を実行する解像度変換部を備え、
前記解像度変換部は、予め設定された複数の固定倍率の中から１つの固定倍率を前記動画像データに応じて選択するとともに、前記選択された固定倍率に従って前記解像度変換処理を実行する第１モードによる解像度変換の機能を有する、
画像処理装置。
【請求項２】
請求項１に記載の画像処理装置であって、
前記解像度変換部は、予め設定された最大動画像サイズに前記変換後の画像が収まる範囲内で前記変換後の画像のサイズが最大となるような固定倍率を選択する、
画像処理装置。
【請求項３】
請求項１または請求項２に記載の画像処理装置であって、
前記複数の固定倍率のそれぞれは１／ｎ（ｎは整数）に設定されている、画像処理装置。
【請求項４】
請求項３に記載の画像処理装置であって、
前記値ｎは、偶数に設定されている、画像処理装置。
【請求項５】
請求項１ないし請求項４のいずれかに記載の画像処理装置であって、
前記解像度変換部は、さらに、予め設定された最大静止画像サイズに前記変換後の画像が収まる範囲内で前記変換後の画像のサイズがアスペクト比を維持しつつ最大となるような任意倍率に従って前記解像度変換を行う第２モードによる解像度変換の機能を有し、
前記解像度変換部は、
前記動画像データに応じた動画像が再生される場合には、前記第１モードによる解像度変換を選択して実行し、
前記動画像データを利用して静止画像が表示される場合には、前記第２モードによる解像度変換を選択して実行する、
画像処理装置。
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
中央反射部と、前記中央反射部と同心状に所定の間隔を隔てて形成された複数の環状反射部とを備え、前記中央反射部と前記環状反射部との間および前記複数の環状反射部間には開口部が形成された、指向性の強い点光源と共に使用するための光学反射板であって、
前記中央反射部と前記環状反射部との間および隣接する前記複数の環状反射部間とは部分的に接続部により接続されており、
前記環状反射部および前記接続部には、光の透過量調整用の未貫通溝が設けられていることを特徴とする光学反射板。
【請求項２】
前記接続部は、前記中央反射部および前記環状反射部と一体的に形成されていることを特徴とする請求項１記載の光学反射板。
【請求項３】
前記環状反射部は、円環状に形成されていることを特徴とする請求項１または２記載の光学反射板。
【請求項４】
前記環状反射部は、多角環状に形成されていることを特徴とする請求項１または２記載の光学反射板。
【請求項５】
開口部を有し、内側が反射部材で形成されたケーシングと、
該開口部を覆うように配置された請求項１〜４の何れか１項に記載の光学反射板と、
前記光学反射板の中央部下方に配置された指向性の強い点光源とを備える面照明光源装置。
【請求項６】
請求項５記載の面照明光学装置を複数備える面照明装置。
【手続補正２】
【補正対象書類名】明細書
【補正対象項目名】０００６
【補正方法】変更
【補正の内容】
【０００６】
本発明は、上記課題を解決するため、下記のような構成を採用した。
すなわち、本発明の一態様によれば、本発明の光学反射板は、中央反射部と、前記中央反射部と同心状に所定の間隔を隔てて形成された複数の環状反射部とを備え、前記中央反射部と前記環状反射部との間および前記複数の環状反射部間には開口部が形成された、指向性の強い点光源と共に使用するための光学反射板であって、前記中央反射部と前記環状反射部との間および隣接する前記複数の環状反射部間とは部分的に接続部により接続されており、前記環状反射部および前記接続部には、光の透過量調整用の未貫通溝が設けられていることを特徴とする。
【手続補正３】
【補正対象書類名】明細書
【補正対象項目名】０００７
【補正方法】変更
【補正の内容】
【０００７】
また、前記接続部は、前記中央反射部および前記環状反射部と一体的に形成されていることが望ましい。
また、前記環状反射部は、円環状に形成されていることが望ましい。
また、前記環状反射部は、多角環状に形成されていることが望ましい。
【手続補正４】
【補正対象書類名】明細書
【補正対象項目名】０００８
【補正方法】変更
【補正の内容】
【０００８】
本発明の一態様によれば、本発明の面照明光源装置は、中央反射部と、前記中央反射部と同心状に所定の間隔を隔てて形成された複数の環状反射部とを備え、前記中央反射部と前記環状反射部との間および前記複数の環状反射部間には開口部が形成された、指向性の強い点光源と共に使用するための光学反射板であって、前記中央反射部と前記環状反射部との間および隣接する前記複数の環状反射部間とは部分的に接続部により接続されており、前記環状反射部および前記接続部には、光の透過量調整用の未貫通溝が設けられている光学反射板を有する。
【手続補正５】
【補正対象書類名】明細書
【補正対象項目名】０００９
【補正方法】変更
【補正の内容】
【０００９】
本発明の一態様によれば、本発明の面照明装置は、中央反射部と、前記中央反射部と同心状に所定の間隔を隔てて形成された複数の環状反射部とを備え、前記中央反射部と前記環状反射部との間および前記複数の環状反射部間には開口部が形成された、指向性の強い点光源と共に使用するための光学反射板であって、前記中央反射部と前記環状反射部との間および隣接する前記複数の環状反射部間とは部分的に接続部により接続されており、前記環状反射部および前記接続部には、光の透過量調整用の未貫通溝が設けられている光学反射板を有する面照明光源装置を複数備える。
【手続補正書】
【提出日】平成21年8月3日(2009.8.3)
【手続補正１】
【補正対象書類名】特許請求の範囲
【補正対象項目名】請求項８
【補正方法】変更
【補正の内容】
【請求項８】
請求項１〜７の何れか１項に記載の半導体レーザモジュールと、
該半導体レーザモジュールに、前記正相データ信号入力用リードピンと前記負相データ信号入力用リードピンと、前記正相バイアス入力用リードピン若しくは前記負相バイアス入力用リードピンの少なくとも何れか一方とを介して、接続された駆動回路と、
を有することを特徴とする半導体レーザモジュール装置。
【手続補正２】
【補正対象書類名】明細書
【補正対象項目名】００２１
【補正方法】変更
【補正の内容】
【００２１】
また、第８発明の半導体レーザモジュール装置は、第１〜第７発明の何れかの半導体レーザモジュールと、
該半導体レーザモジュールに、前記正相データ信号入力用リードピンと前記負相データ信号入力用リードピンと、前記正相バイアス入力用リードピン若しくは前記負相バイアス入力用リードピンの少なくとも何れか一方とを介して、接続された駆動回路と、
を有することを特徴とする。
【手続補正３】
【補正対象書類名】明細書
【補正対象項目名】００４１
【補正方法】変更
【補正の内容】
【００４１】
また、これと同様の理由から、即ち、前記差動データ信号の電流が電源端子３９側に流れてしまうのを防止するために電源端子３９側にインダクタ４０を設ける必要があることから、構成によっては、バイアス入力用リードピンとして、正相バイアス入力用リードピン１７と負相バイアス入力用リードピン１８の両方を設けるのではなく、正相バイアス入力用リードピンは省略して、負相バイアス入力用リードピン１８のみを半導体レーザモジュール１に設けた実施形態も考えられる。この場合の等価回路例を図４に示す。図４では、図２と比較すると、バイアス入力用リードピンとして、正相バイアス入力用リードピン１７は無く（これに伴って第４伝送線路９も無い）、負相バイアス入力用リードピン１８のみが設けられている。電源端子３９はインダクタ４０を介して正相データ信号入力用リードピン１５に接続されている。図４のその他の構成については図２と同様である。
【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
図面を作成する図面作成プログラムで作成された図面データの描画オブジェクトの属性である図面属性と、プログラマブル表示器に表示する画面を作成する画面作成プログラムで作成された画面データの描画オブジェクトの属性である画面属性とが対応付けられた対応テーブルを参照して、前記図面属性を対応する前記画面属性に変換するデータ変換方法であって、
前記画面属性は、
前記画面作成プログラムが一致して扱える前記図面属性に対応する第１画面属性と、
前記画面作成プログラムが一致して扱えない前記図面属性に対応する第２画面属性とを含んでいることを特徴とするデータ形式変換方法。
【請求項２】
請求項１に記載のデータ形式変換方法の手順をコンピュータに実行させるためのデータ形式変換プログラム。
【請求項３】
請求項２に記載のデータ形式変換プログラムが記録されたコンピュータ読み取り可能な記録媒体。
【請求項４】
図面を作成する図面作成プログラムで作成された図面データの描画オブジェクトの属性である図面属性と、プログラマブル表示器に表示する画面を作成する画面作成プログラムで作成された画面データの描画オブジェクトの属性である画面属性とが対応付けられた対応テーブルと、
前記対応テーブルを参照して、前記図面属性を対応する前記画面属性に変換するデータ変換手段とを備えている図面作成装置であって、
前記画面属性は、
前記画面作成プログラムが一致して扱える前記図面属性に対応する第１画面属性と、
前記画面作成プログラムが一致して扱えない前記図面属性に対応する第２画面属性とを含んでいることを特徴とする図面作成装置。